(57)【要約】【課題】  パネルの光コンポーネント源から放射される輝度を改善する設計手法を提供する。【解決手段】  発光ユニットと駆動ユニットを含むパネルの設計手法であって、前記発光ユニットは、第一と第二光コンポーネント源を構成する第一と第二光コンポーネントをそれぞれ含み、前記第一及び前記第二光コンポーネントは、前記第一及び前記第二光コンポーネント源からそれぞれ放射され、前記第一光コンポーネントの色は、前記第二光コンポーネントの色と異なり、前記設計手法は、前記第一及び前記第二カラーコンポーネント間の特性の特定関係を定義するステップ、及び前記特定関係に基づいて駆動ユニットを設計するステップを含む設計手法。【選択図】      図２
2006120625.tif 000002
【特許請求の範囲】
【請求項１】
発光ユニットと駆動ユニットを含むパネルの設計手法であって、前記発光ユニットは、第一と第二光コンポーネント源をそれぞれ構成する第一と第二光コンポーネントを含み、前記第一及び前記第二光コンポーネントは、前記第一及び前記第二光コンポーネント源からそれぞれ放射され、前記第一光コンポーネントの色は、前記第二光コンポーネントの色と異なり、前記設計手法は、
前記第一及び前記第二カラーコンポーネント間の特性の特定関係を定義するステップ、及び
前記特定関係に基づいて駆動ユニットを設計するステップを含む設計手法。
【請求項２】
前記第一光コンポーネントの放射の変化を検出するステップ、
前記特定関係に基づいた前記第一及び前記第二光コンポーネントの放射と、前記第一光コンポーネントの前記検出された放射の一つを補償するステップを更に含む請求項１に記載の設計手法。
【請求項３】
前記特定関係は、特定時間の範囲内の前記第一光コンポーネントの輝度変化量と、前記特定時間の範囲内の前記第二光コンポーネントの輝度変化量間の比率である請求項１に記載の設計手法。
【請求項４】
前記特定関係の定義は、
前記第一及び前記第二光コンポーネント源を連続的に発光するステップ、
第一時間に前記第一及び前記第二光コンポーネントの輝度を検出するステップ、及び
第二時間に前記第一及び前記第二光コンポーネントの輝度を検出するステップを含み、前記特定関係は、前記第一時間と前記第二時間の間における前記第一光コンポーネントの輝度変化量と、前記第一時間と前記第二時間の間における前記第二光コンポーネントの輝度変化量間の比率である請求項１に記載の設計手法。
【請求項５】
前記第二時間に検出された前記第一及び前記第二光コンポーネントの輝度は、前記第一時間に検出された前記第一及び前記第二光コンポーネントの輝度より暗い請求項４に記載の設計手法。
【請求項６】
前記第一及び前記第二光コンポーネントの発光時間の一つは、前記特定関係及び前記第一光コンポーネントの前記検出された放射に基づいて変えられる請求項２に記載の設計手法。
【請求項７】
エレクトロルミネセント素子（ＥＬＤ）は、前記第一及び前記第二光コンポーネント源によって形成される請求項２に記載の設計手法。
【請求項８】
前記ＥＬＤを通過する電流は、前記特定関係及び前記第一光コンポーネントの前記検出された放射に基づいて変えられる請求項７に記載の設計手法。
【請求項９】
前記駆動ユニットの設計は、前記駆動ユニットのトランジスタのチャネルサイズを決めるのを含む請求項１に記載の設計手法。
【請求項１０】
前記駆動ユニットの設計は、前記駆動ユニットのコンデンサを決めるのを含む請求項１に記載の設計手法。
【請求項１１】
ＥＬ素子の単一カラーサブピクセル内のいくつかの光コンポーネントの中から、必要な光コンポーネントの放射の変化を決める設計手法は、
一定期間の間、前記いくつかの光コンポーネントの放射の変化間の関係を予め決め、前記いくつかの光コンポーネントの一つは、参照用光コンポーネントに指定されるステップ、
前記サブピクセルの参照用光コンポーネントの放射の変化を検出するステップ、及び
前記参照用光コンポーネントの前記検出された放射を参照して規定の関係に基づいて、前記必要な光コンポーネントの放射の対応する変化を決めるステップを含む設計手法。
【請求項１２】
第一光コンポーネント源を構成する第一カラーコンポーネントと、第二光コンポーネント源を構成する第二カラーコンポーネントを含み、第一と第二光コンポーネントは、前記第一と第二光コンポーネント源から放射され、前記第一光コンポーネントの色は、前記第二光コンポーネントの色と異なり、特定関係は、前記第一及び前記第二カラーコンポーネント間の特性に基づいて予め決められる発光ユニット、及び
前記発光ユニットを駆動するために、前記特定関係に基づいて設計され、前記第一及び前記第二光コンポーネントの一つは、参照用光コンポーネントである駆動ユニットを含むパネル。
【請求項１３】
前記駆動ユニットは、前記参照用光コンポーネントの放射の変化を検出するために構成され、前記参照用光コンポーネントの放射の前記検出された変化に対応し、且つ、一定期間の間、前記いくつかの光コンポーネントの放射の変化間の規定の関係に基づいて、必要な光コンポーネントの放射を調節する駆動回路を含む請求項１２に記載のパネル。
【請求項１４】
前記駆動回路は、前記参照用光コンポーネントの放射の変化を検出する検出装置を含む請求項１３に記載のパネル。
【請求項１５】
前記検出装置は、前記規定の関係に基づいて構成され、前記参照用光コンポーネントの放射の前記検出された変化に基づいて前記必要な光コンポーネントの放射に調整を提供する請求項１４に記載のパネル。
【請求項１６】
前記駆動ユニットのトランジスタの前記チャネルのサイズは、前記特定関係によって設計される請求項１２に記載のパネル。
【請求項１７】
前記駆動ユニットのコンデンサの静電容量は、前記特定関係によって設計される請求項１２に記載のパネル。
【請求項１８】
電力を出力するアダプタ、及び
前記アダプタによって電力を供給される請求項１２に記載のパネルを含む電子素子。
【請求項１９】
前記駆動ユニットを有効にする複数のスキャン信号を提供するスキャンドライバ、及び
前記駆動ユニットに複数のスキャン信号を提供するデータドライバを更に含む請求項１８に記載の電子素子。
【請求項２０】
前記電子素子は、ＰＤＡ、ディスプレイモニタ、ノート型パソコン、タブレット型パソコン、または携帯電話の少なくとも一つである請求項１８に記載の電子素子。
【発明の詳細な説明】
【技術分野】
【０００１】
本発明は、設計手法に関し、特に、パネルの光コンポーネント源から放射される輝度を改善する設計手法に関するものである。
【背景技術】
【０００２】
図１は、パネルの概略図である。パネル１は、アレイ配列した画素単位Ｐ１１〜Ｐｍｎと、例えば、白色のエレクトロルミネセント（ＥＬ）素子の白色光源を含む。各画素単位は、３つの白色光サブピクセルを含み、各サブピクセルは、各サブピクセルの合成した白色光を構成する三つの原色のカラーコンポーネントを含む。
【０００３】
画素単位Ｐ11を例として挙げる。画素単位Ｐ11は、３つの白色光サブピクセルＰ11R、Ｐ11G、Ｐ11Bを含み、それぞれ赤、緑と、青色の混合を構成する。各画素ピクセルから得られた白色光は、カラーフィルターによって、フィルター処理され、見る者に色彩光を提供する。
【０００４】
画素単位Ｐ11には、サブピクセルＰ11Rに赤色カラーフィルターが、サブピクセルＰ11Gに緑色カラーフィルターが、サブピクセルＰ11Bに青色カラーフィルターが供給される。画素単位Ｐ11は、それぞれの白色サブピクセルの相対強度を制御することによって、必要な全部の色のカラー画像を作るように制御されることができ、対応するカラーフィルターにかけて見た時、必要な相対強度の色彩光を作り出す。
【０００５】
白色ＥＬ素子の強度は、三つの原色のカラーコンポーネントの実質的な特性により、操作の際にしばしば、著しく減少する。強度のこのシフトを補償する従来の方法は、フォトセンサを用いてサブピクセルの輝度を検出するものである。
【０００６】
フォトＴＦＴ（ｐｈｏｔｏ ｔｈｉｎ ｆｉｌｍ ｔｒａｎｓｉｓｔｏｒ）が青色光の輝度を検出した時、フォトＴＦＴの検出感度は、比較的高い。フォトＴＦＴが赤色光、または緑色光の輝度を検出した時、フォトＴＦＴの検出感度は、比較的低い。よって、従来の方法は、フォトＴＦＴが輝度を検出するように用いられる時、赤色光と緑色光の輝度を適切に補償しない。
【発明の開示】
【発明が解決しようとする課題】
【０００７】
パネルの光コンポーネント源から放射される輝度を改善する設計手法を提供する。
【課題を解決するための手段】
【０００８】
本発明は、発光ユニットと駆動ユニットを含むパネルの新たな設計手法に向けられている。発光ユニットは、第一と第二光コンポーネント源を構成する第一と第二光コンポーネントをそれぞれ含む。第一と第二光コンポーネントは、第一と第二光コンポーネント源からそれぞれ放射される。第一光コンポーネントの色は、第二光コンポーネントの色と異なる。まず、前記第一及び前記第二カラーコンポーネント間の特性の特定関係が定義される。駆動ユニットは、特定関係に基づいて設計される。
【０００９】
もう一つの設計手法も提供される。制御方法は、ＥＬ素子の単一カラーサブピクセル内のいくつかの光コンポーネントの中から、必要な光コンポーネントの放射の変化を決める。まず、一定期間の間、サブピクセルのいくつかの光コンポーネントの放射の変化間の関係が予め決められる。いくつかの光コンポーネントの一つは、参照用光コンポーネントに指定される。次に、サブピクセルの参照用光コンポーネントの放射の変化が検出される。最後に、参照用光コンポーネントの検出された放射を参照して規定の関係に基づいて、必要な光コンポーネントの放射の対応する変化が決められる。
【００１０】
パネルの模範的な実施例は、発光ユニットと駆動ユニットを含む。発光ユニットは、第一光コンポーネント源を構成する第一カラーコンポーネントと、第二光コンポーネント源を構成する第二カラーコンポーネントを含む。第一と第二光コンポーネントは、第一と第二光コンポーネント源から放射される。第一光コンポーネントの色は、第二光コンポーネントの色と異なる。特定関係は、第一と第二カラーコンポーネント間の特性に基づいて得られる。駆動ユニットは、発光ユニットを駆動するために、特定関係に基づいて設計される。
【００１１】
電子素子の模範的な実施例は、パネル、データドライバと、スキャンドライバを含む。パネルは、発光ユニットと駆動ユニットを含む。発光ユニットは、第一光コンポーネント源を構成する第一カラーコンポーネントと、第二光コンポーネント源を構成する第二カラーコンポーネントを含む。第一光コンポーネントは、第一光コンポーネント源から放射される。第二光コンポーネントは、第二光コンポーネント源から放射される。第一光コンポーネントの色は、第二光コンポーネントの色と異なる。特定関係は、第一と第二光コンポーネント間の特性に基づいて得られる。駆動ユニットは、特定関係に基づいて設計され、発光ユニットを駆動する。データドライバは、データ信号を駆動ユニットに提供する。スキャンドライバは、スキャン信号を駆動ユニットに提供する。
【発明の効果】
【００１２】
駆動ユニットがカラーコンポーネント間の特定関係に基づいて設計されることから、カラーコンポーネントによる輝度減衰が減少されることができる。
また、一つの発光ユニットから放射された輝度が減衰する時、駆動ユニットは、発光ユニットから放射された輝度を補償することができる。駆動ユニットのフォトセンサが同じ色の光を検出することから、部材の複雑性を減少することができる。
【発明を実施するための最良の形態】
【００１３】
本発明についての目的、特徴、長所が一層明確に理解されるよう、以下に実施形態を例示し、図面を参照にしながら、詳細に説明する。
【実施例】
【００１４】
図２は、電子素子の実施例の概略図である。例えば、ＰＤＡ、ディスプレイモニタ、ノート型パソコン、タブレット型パソコン、または携帯電話などの電子素子２は、アダプタ３とパネル２６を含む。パネル２６は、アダプタ３から出力された電力によって電力を供給される。電子素子２は、スキャンドライバ２２とデータドライバ２４を更に含む。
【００１５】
スキャンドライバ２２は、スキャン信号Ｇ1〜Ｇnをゲート電極に提供する。データドライバ２４は、データ信号Ｓ1R〜ＳmBをソース電極に提供する。パネル２６は、サブピクセルＰ11R〜ＰmnBを含み、例えば、ＯＬＥＤを含むＥＬ素子の駆動ユニットと発光ユニットをそれぞれ含む。駆動ユニットは、スキャン信号Ｇ1〜Ｇnとデータ信号Ｓ1R〜ＳmBによって制御される。よって、織り交ぜられたソース電極とゲート電極は、サブピクセルを制御するために用いられる。
【００１６】
例えば、データ信号Ｓ1Rとスキャン信号Ｇ1は、駆動ユニットＤ11Rと発光ユニットＥＬ11Rを含むサブピクセルＰ11Rを制御する。駆動ユニットＤ11Rは、データドライバ２４から出力されたスキャン信号Ｇ1とスキャンドライバ２２から出力されたデータ信号Ｓ1Rに基づいて発光ユニットＥＬ11Rを駆動する。また、駆動ユニットＤ11Rは、発光ユニットＥＬ11Rから放射された輝度を検出し、補償することができる。
【００１７】
パネル２６の発光ユニットから放射された白色光は、いくつかの光コンポーネントから成る。パネル２６の各発光ユニットは、いくつかの異なるタイプのカラーコンポーネントを有し、異なる光コンポーネントを放射することができる。この実施例では、パネル２６から放射された白色光は、緑色光コンポーネント、青色光コンポーネントと、赤色光コンポーネントを含む。また、白色光は、例えば、青色光コンポーネントと赤色光コンポーネントの二つの光コンポーネントによって構成されることができる。発光ユニットによって放射された合成光コンポーネントは、白色以外であることができる。サブピクセルに適当な補色カラーフィルターを用いることによって、画像のための必要な合成色が各サブピクセルに得ることができる。
【００１８】
異なるカラーコンポーネントが異なる時効特性を有し、輝度、電圧、または電流特性に異なる変化（ｅ.ｇ．減衰）をもたらすから、異なるカラーコンポーネント間の特定関係は、その時効特性に基づいて既定される。まず、検出器（図示しない）は、第一時間と第二時の間においてパネル２６から放射された輝度を検出する。次に、特定関係が第一時間と第二時間の間における赤、緑と、青色光コンポーネントの放射変量間の比率に基づいて決められる。つまり、特定関係は、特定の時間間隔における赤、緑と、青色光コンポーネントの放射変量である。電子素子２の生産者は、特定関係が決められた後、特定関係に応じて駆動ユニットＤ11R〜Ｄmnを設計することができる。
【００１９】
図３は、特定関係の特性曲線を表している。曲線３０は、時間Ｔ0での検出器によって検出された白色光のさまざまなカラーコンポーネントの強度と波長の関係を示している。曲線３１は、時間Ｔ1での検出器によって検出された白色光の強度と波長の関係を示している。一般的に、強度は、輝度に正比例する。レベルＢは、青色光コンポーネントの波長を示す。レベルＧは、緑色光コンポーネントの波長を示す。レベルＲは、赤色光コンポーネントの波長を示す。
【００２０】
図３に示すように、赤と青色光コンポーネントの波長間の関係は、ΔＲ＝Ｃ１ｘΔＢである。緑と青色光コンポーネントの波長間の関係は、ΔＧ＝Ｃ２ｘΔＢである。Ｃ１とＣ２は、変換パラメータである。
【００２１】
例えば、仮に、図３に示された例の赤、緑と青色光コンポーネントの強度減衰量間の比率が２：（１．５）：１の場合で、青色光コンポーネントΔＢの強度減衰量が２０％の場合、赤色光コンポーネントΔＲの強度減衰量は、Ｃ１ｘΔＢ＝２ｘ２０％＝４０％であり、緑色光コンポーネントΔＲの強度減衰量は、Ｃ２ｘΔＢ＝１.５ｘ２０％＝３０％である。
【００２２】
図４は、サブピクセルの実施例の概略図である。パネルは、複数のサブピクセルを含む。図４は、サブピクセルのみを表している。
【００２３】
トランジスタのドレインとソースがトランジスタを通過する電流によって定義されることから、ソース／ドレインとドレイン／ソースは、それぞれ下記のトランジスタの二つの端子を示す。
【００２４】
駆動ユニットＤ11Rは、トランジスタＭ１Ｒ〜Ｍ３ＲとコンデンサＣｓｔRを含む。トランジスタＭ１Ｒのゲート、または制御端子は、ゲート電極のスキャン信号Ｇ1を受信し、ソース／ドレインは、ソース電極のデータ信号Ｓ1Rを受信する。トランジスタＭ２Ｒのソース／ドレインは、高電圧ソースパワーに接続され、ドレイン／ソースは、発光ユニットＥＬ11Rに接続される。トランジスタＭ３Ｒのゲートは、発光ユニットＥＬ11Rに接続され、ドレイン／ソースは、トランジスタＭ１Ｒのソース／ドレインと高電圧ソースパワーに接続され、ソース／ドレインは、トランジスタＭ２Ｒのゲートに接続される。コンデンサＣｓｔRは、トランジスタＭ２Ｒのソース／ドレインとゲートの間に接続される。
【００２５】
図４に示すように、スキャンドライバがスキャン信号Ｇ1をゲート電極に出力した時、トランジスタＭ１Ｒは、コンデンサＣｓｔRを充電するために、ソース電極からデータ信号Ｓ1Rを受信する。発光ユニットＥＬ11Rは、コンデンサＣｓｔRによってトランジスタＭ２Ｒがオンにされた時、白色光を放射する。白色光は、赤色光コンポーネントＬ1、緑色光コンポーネントＬ2と、青色光コンポーネントＬ3によって構成される。
【００２６】
トランジスタＭ３Ｒは、低温ポリシリコン（ＬＴＰＳ）、またはアモルファスシリコン技術によって形成されることができる。トランジスタＭ３Ｒは、フォトダイオード、またはフォトトランジスタであることができ、発光ユニットＥＬ11Rから放射された輝度を検出し、補償する。この実施例では、トランジスタＭ３Ｒは、フォトトランジスタであり、参照用カラーコンポーネントとして、発光ユニットＥＬ11Rから放射された白色光内の青色光コンポーネントを検出する。
【００２７】
特定関係に基づいて駆動ユニットＤ11Rを設計することによって、カラーコンポーネントの時効関係による発光ユニットＥＬ11Rの輝度減衰効果が減少される。この実施例では、トランジスタＭ３Ｒのサイズは、参照用青色カラーコンポーネントと特定関係に基づいた赤色カラーコンポーネントを補償するために定義される。例えば、サイズは、トランジスタＭ３Ｒのチャネルの長さと幅間の比率である。また、コンデンサＣｓｔRの静電容量もまた特定関係によって定義されることができる。
【００２８】
パネルが多くのサブピクセルを含む時、サブピクセルの一部だけがよく用いられ、よく用いられるサブピクセルから放射された輝度が減衰する。よって、駆動ユニットは、検出と補償の機能がなければならない。サブピクセルＰ11を例として挙げると、発光ユニットＥＬ11Rから放射された輝度を補償するために、駆動ユニットＤ11Rは、発光ユニットＥＬ11Rを通過する電流、または発光ユニットＥＬ11Rの発光時間を変えるように設計されることができる。
【００２９】
この実施例では、トランジスタＭ３Ｒは、発光ユニットＥＬ11Rから放射された輝度を検出し、補償する。トランジスタＭ３Ｒは、発光ユニットＥＬ11Rから放射された輝度に基づいてコンデンサＣｓｔRの放電時間を制御する。放電時間が緩慢な時、トランジスタＭ２Ｒの有効状態の時間は長くなる。
【００３０】
上述の補償回路は、サブピクセルで検出された参照用光コンポーネントと規定の関係に基づいて、各サブピクセルに必要な光コンポーネントを補償するために、同じ方法で全てのサブピクセルに提供されることができる。
【００３１】
図５ａと図５ｂは、三つのサブピクセルの概略図である。サブピクセルＰ11R、Ｐ11G、Ｐ11Bは、それぞれ赤色光コンポーネント、緑色光コンポーネントと、青色光コンポーネントを表す。駆動ユニットＤ11R、Ｄ11G、Ｄ11Bは、それぞれ発光ユニットＥＬ11R、ＥＬ11G、ＥＬ11Bを駆動し、ソース電極から出力されたデータ信号Ｓ11R、Ｓ11G、Ｓ11Bに基づいて白色光を放射する。
【００３２】
発光ユニットＥＬ11R、ＥＬ11G、ＥＬ11Bは、それぞれ白色光を放射するが、白色光から必要な光コンポーネントを提供するために、カラーフィルターを用いることができる。サブピクセルＰ11R、Ｐ11G、Ｐ11Bは、必要な光コンポーネントを表示する。例えば、仮に、サブピクセルＰ11Rが赤色光を表示したい場合、発光ユニットＥＬ11Rから放射された白色光から、赤色光をフィルタリングするように赤色フィルターが用いられる。
【００３３】
白色光の赤、緑と、青色光コンポーネント間の強度減衰率がカラーコンポーネントの時効特性によって影響されることから、トランジスタＭ３Ｒ、Ｍ３Ｇ、Ｍ３Ｂは、それぞれコンデンサＣｓｔR、ＣｓｔG、ＣｓｔBの放電時間を変えるために用いられ、各サブピクセルの各赤、緑と、青色光コンポーネントの輝度を補償する。
【００３４】
サブピクセルＰ11Rを例として挙げると、トランジスタＭ３Ｒのチャネルサイズが大きい時、コンデンサＣｓｔRの放電時間は短く、発光ユニットＥＬ11Rの発光時間が短くなる。異なる色のサブピクセル間の補償した駆動コンポーネント（ｉ.ｅ., 図示した実施例のＭ３Ｒ、Ｍ３ＧとＭ３Ｂ）の構造は、異なるカラーサブピクセルに補償された、異なるカラーコンポーネントのための輝度衰減の異なる特性のために、異なる可能性がある。よって、仮に、サブピクセル内の白色光を構成する赤、緑と、青色光コンポーネント間の強度減衰率が２：（１.５）：１の時、トランジスタＭ３Ｒ、Ｍ３Ｇ、Ｍ３Ｂ間の相対的なチャネルサイズの比率は、１：（１.５）：２である。
【００３５】
発光ユニットＥＬ11R、ＥＬ11G、ＥＬ11Bから放射された白色光の輝度は、ソース電極からのデータ信号Ｓ11R、Ｓ11G、Ｓ11Bによって定義される。発光ユニットＥＬ11R、ＥＬ11G、ＥＬ11Bから放射された白色光の輝度は、例えば、２００ｎｉｔｓであることができる。発光ユニットＥＬ11Rから放射された白色光の放射が１００ｎｉｔｓに減衰した時、白色光の輝度を形成する赤色光コンポーネントＬ1の放射、緑色光コンポーネントＬ2の放射と、青色光コンポーネントＬ3の放射は、減衰される。
【００３６】
白色光の青色光コンポーネントの減衰量がトランジスタＭ３Ｒによって検出された時、トランジスタＭ３Ｒは、コンデンサＣｓｔRの放電時間を低減し、トランジスタＭ２Ｒのオンの時間を増加することで、白色光の発光時間が増やされ、発光ユニットＥＬ11Rから放射された白色光の放射を補償する。
【００３７】
図６ａと図６ｂは、時間と輝度を含む発光ユニットの特性曲線を表している。曲線６０は、発光ユニットから放射された通常の輝度を示す。曲線６１は、発光ユニットから放射された補償された輝度を示す。図６ａを図６ｂと比較して下さい。図６ａの最大輝度は、図６ｂを越えるが、図６ａの発光時間は、図６ｂより短い。よって、領域Ａは、領域Ｂに等しく、法線輝度の効果が補償された輝度に等しくなる。
【００３８】
図７は、設計手法の実施例の流れ図である。設計手法は、発光ユニットと駆動ユニットを含むパネルに提供される。発光ユニットは、第一と第二カラーコンポーネントを含み、それぞれ第一と第二光コンポーネント源を構成する。第一と第二光コンポーネントは、第一と第二光コンポーネント源からそれぞれ放射される。第一光コンポーネントの色は、第二光コンポーネントから異なる。
【００３９】
まず、特定関係は、ステップ７１０で第一と第二カラーコンポーネント間の特性に基づいて予め決められる。各カラーコンポーネントが時効特性を有することから、第一及び第二光コンポーネントの輝度は、特定時間の範囲内で減衰する。第一及び第二光コンポーネント源は、異なるカラーコンポーネントによって構成され、第一光コンポーネントの輝度変化量は、特定時間の範囲内の第二光コンポーネントの変化量と異なる。特定時間の範囲は、第一時間と第一時間を越える第二時間の間である。特定関係は、第一と第二光コンポーネントの輝度変化量間の比率である。
【００４０】
各カラーコンポーネントが時効特性を有し、第二時間が第一時間を越えることから、第二時間に検出された第一と第二光コンポーネントの輝度は、第一時間に検出された輝度より暗い。
【００４１】
駆動ユニットは、ステップ７２０で特定関係に基づいて設計される。カラーコンポーネントの時効特性が第一と第二光コンポーネントの輝度に影響することから、駆動ユニットが特定関係に基づいて設計される時、第一と第二光コンポーネントの輝度は、補償されることができる。
【００４２】
図５に示すように、トランジスタＭ１Ｒ〜Ｍ３Ｒ、Ｍ１Ｇ〜Ｍ３Ｇ、Ｍ１Ｂ〜Ｍ３Ｂのサイズ、またはコンデンサＣｓｔR、ＣｓｔG、ＣｓｔBの静電容量は、第一と第二カラーコンポーネントの時効特性を補償するために変えられることができる。この実施例では、トランジスタＭ３Ｒ、Ｍ３Ｂ、Ｍ３Ｇのチャネルサイズが変えられる。カラーコンポーネントの時効速度が早い時、トランジスタのチャネルサイズは小さい。
【００４３】
駆動ユニットが特定関係に基づいて設計される時、カラーコンポーネントの時効特性により輝度衰減の影響は減少されることができる。
【００４４】
第一光コンポーネントの輝度は、ステップ７３０で検出され、第一光コンポーネントの輝度は、ステップ７４０で決められる。仮に第一光コンポーネントの放射が変えられた場合、第一と第二光コンポーネントの放射の一つは、ステップ７５０で補償される。仮に第一光コンポーネントの放射が変わらない場合、補償は必要でない。第一光コンポーネントの放射の検出は、ステップ７３０で繰り返され、放射の減衰を連続的に観察する。
【００４５】
また、第一と第二光コンポーネント源は、エレクトロルミネセント素子（ＥＬＤ）を構成する。よって、ＥＬＤを通過する電流、または第一光コンポーネントの発光時間は、第一光コンポーネントの放射を補償するために変えられることができる。
【００４６】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００４７】
【図１】パネルの概略図である。
【図２】電子素子の実施例の概略図である。
【図３】特定関係の特性曲線を表している。
【図４】サブピクセルの実施例の概略図である。
【図５ａ】画素単位の概略図である。
【図５ｂ】画素単位の概略図である。
【図６ａ】時間と輝度を含む発光ユニットの特性曲線を表している。
【図６ｂ】時間と輝度を含む発光ユニットの特性曲線を表している。
【図７】パネルの設計手法の流れ図である。
【符号の説明】
【００４８】
１  パネル
Ｐ１１〜Ｐｍｎ  画素単位
Ｐ11R、Ｐ11G、Ｐ11B サブピクセル
２  電子素子
３アダプタ
２２  スキャンドライバ
２４  データドライバ
２６  パネル
Ｄ11、Ｄ11R、Ｄ11G、Ｄ11B 駆動ユニット
ＥＬ11、ＥＬ11R、ＥＬ11G、ＥＬ11B 発光ユニット
Ｍ１Ｒ〜Ｍ３Ｒ  トランジスタ
Ｃｓｔ  コンデンサ
【図１】
2006120625.tif 000003
【図２】
2006120625.tif 000004
【図３】
2006120625.tif 000005
【図４】
2006120625.tif 000006
【図５ａ】
2006120625.tif 000007
【図５ｂ】
2006120625.tif 000008
【図６ａ】
2006120625.tif 000009
【図６ｂ】
2006120625.tif 000010
【図７】
2006120625.tif 000011
【外国語明細書】
2006120625000001.pdf
2006120625000002.pdf
2006120625000003.pdf
2006120625000004.pdf